(57)【要約】  本発明は、弾性表面波によって動作する受信フィルタ（３）を有するデュプレクサに関し、受信フィルタはアンテナ側に配置されている、共振器（１１，１２，１３）を有している第１の部分フィルタ（３）と該部分フィルタに後置接続されている、ＤＭＳフィルタとして実現されている第２の部分フィルタ（３２）とを有している。
2008533779.tif 000002
【特許請求の範囲】
【請求項１】
アンテナ接続端子（４）を有し、
送信フィルタ（２）を有し、
受信フィルタ（３）を有し、該受信フィルタはアンテナ側に配置されている、１つまたは複数の共振器（１１，１２，１３）を含んでいる第１の部分フィルタ（３１）と該第１のフィルタ（３１）に後置接続されている、ダブルモード弾性表面波フィルタとして実現されている第２の部分フィルタ（３２）とを有している
デュプレクサ。
【請求項２】
共振器（１１，１２，１３）の少なくとも１つは直列共振器（１１，１３）である
請求項１記載のデュプレクサ。
【請求項３】
共振器（１１，１２，１３）の少なくとも１つは並列共振器（１２）である
請求項１記載のデュプレクサ。
【請求項４】
共振器（１１，１２，１３）の少なくとも１つは直列共振器（１１，１３）でありかつ共振器（１１，１２，１３）の少なくとも１つは並列共振器（１２）である
請求項１記載のデュプレクサ。
【請求項５】
共振器（１１，１２，１３）の少なくとも１つはカスケード接続された変換器を有している
請求項１から４までのいずれか１項記載のデュプレクサ。
【請求項６】
第２の部分フィルタ（３２）は出力側において平衡実現されている
請求項１から４までのいずれか１項記載のデュプレクサ。
【請求項７】
平衡接続された出力側変換器（３２３）は、該変換器は相並んで配置されている、相互に直列接続されている部分変換器（３２３ａ，３２３ｂ）を有していることで、Ｖ字形スプリットを有している
請求項６記載のデュプレクサ。
【請求項８】
ＤＭＳフィルタは複数の音響トラックを有しており、ＤＭＳフィルタの異なっている音響トラックは結合共振器を用いて電気音響的に相互に接続されている
請求項１から７までのいずれか１項記載のデュプレクサ。
【請求項９】
第２の部分フィルタ（３２）の出力インピーダンスは該フィルタの入力インピーダンスとは異なっている
請求項１から８までのいずれか１項記載のデュプレクサ。
【請求項１０】
アンテナ接続端子（４）と受信フィルタ（３）との間に移相器（５）が配置されている
請求項１から９までのいずれか１項記載のデュプレクサ。
【請求項１１】
送信フィルタ（２）は弾性表面波によって動作する少なくとも１つの共振器を有している
請求項１から９までのいずれか１項記載のデュプレクサ。
【請求項１２】
送信フィルタ（２）は体積音響波によって動作する少なくとも１つの共振器を有している
請求項１から１１までのいずれか１項記載のデュプレクサ。
【請求項１３】
送信フィルタ（２）および受信フィルタ（３）の素子構造体は共通の圧電基板（６）に実現されている
請求項１から１２までのいずれか１項記載のデュプレクサ。
【請求項１４】
圧電基板（６）は隠された電気的なエレメントを有しているベースプレート（７）と電気的に接続されている
請求項１３記載のデュプレクサ。
【請求項１５】
圧電基板（６）は隠された電気的なエレメントを有しているベースプレート（７）と機械的に固定連結されている
請求項１３または１４記載のデュプレクサ。
【請求項１６】
受信フィルタ（３）の第１の部分フィルタ（３１）の共振器（１１，１２，１３）の少なくとも１つは体積音響波によって動作する共振器である
請求項１から１５までのいずれか１項記載のデュプレクサ。
【請求項１７】
第２の部分フィルタ（３２）に別の共振器（４１，４２）が後置接続されている
請求項１から１６までのいずれか１項記載のデュプレクサ。
【発明の詳細な説明】
【技術分野】
【０００１】
本発明は、弾性表面波により動作する受信フィルタを有しているデュプレクサに関する。
【０００２】
ＤＭＳ（＝Double Mode Surface Acoustic Wave）フィルタとして実現されている受信フィルタを有する弾性表面波により動作する受信フィルタを有しているデュプレクサは例えばＵＳ２００３／０２１４３６９Ａ１から公知である。
【０００３】
入力側変換器と出力側変換器が交番的に配置されているＤＭＳフィルタは刊行物ＵＳ６５５６１００Ｂ２並びに刊行物ＵＳ５８３５９９０に記載されている。
【０００４】
本発明の課題は、電磁適合性が改善されているデュプレクサを提供することである。
【０００５】
本発明によればこの課題は、請求項１の特徴を備えたデュプレクサによって解決される。本発明の有利な実施形態は従属請求項に記載されている。
【０００６】
受信フィルタがアンテナ側に配置されている部分フィルタとこれに後置接続されている第２の部分フィルタとを有している、送信フィルタおよび受信フィルタを有するデュプレクサが提供される。
【０００７】
有利には第１の部分フィルタは少なくとも１つの、音響波によって動作する共振器を有しておりかつ第２の部分フィルタはＤＭＳフィルタを有している。
【０００８】
有利な形態において第１の部分フィルタは電気信号をＤＭＳフィルタの通過域において通しかつ送信フィルタの通過域において阻止し、こうしてＤＭＳフィルタの入力側が送信モードにおいて著しく高い送信電力に対してガードされているようになっている。
【０００９】
少なくとも１つの共振器は、直列共振器、すなわち信号路に接続されている共振器であってよい。少なくとも１つの共振器は、並列共振器、すなわち信号路とアースとの間に接続されている並列分路に配置されている共振器であってもよい。
【００１０】
第１の部分フィルタにおいて有利には複数の共振器が設けられており、その際共振器の少なくとも１つは直列共振器でありかつ残りの共振器は（例えば種々の並列分路に配置されている）並列共振器である。
【００１１】
第１の部分フィルタにおいて、１つの直列共振器および１つの並列共振器を有する少なくとも１つのはしご形素子が実現されていてよい。図２のような２つの直列共振器および１つの並列共振器を有するＴ素子または図２Ｅのような２つの並列共振器および１つの直列共振器を有するπ素子が実現されていてもよい。
【００１２】
第１の部分フィルタにおいてマルチポート共振器が配置されていてよい。マルチポート共振器は刊行物ＷＯ０３／０８１７７３に記載されており、ここにこの刊行物の記載内容をすべて取り込む。マルチポート共振器は、少なくとも２つの音響的に相互に結合されている、有利には、２つの共振器によって形成されている音響トラックに配置されている変換器を有している。マルチポート共振器の変換器は例えば、直列分路（信号線路における）または部分フィルタの並列分路に配置されていることができる。
【００１３】
マルチポート共振器は１つの変形形態において例えば第２の部分フィルタに後置接続されていてよい。このことは、２つの信号線路を有する第２の部分フィルタの平衡出力側において殊に有利であり、ここでマルチポート共振器の異なっている変換器は異なっている信号線路に配置されている。
【００１４】
第１の部分フィルタに配置されている１つの共振器（または複数の共振器）は有利には弾性表面波によって動作する。少なくとも１つの前置接続されている共振器は変形形態において体積音響波によって動作する共振器であってよい。複数の共振器において殊に、少なくとも１つのアンテナ側に配置されておりかつ送信時に送信電力の最大の担い手である共振器はＢＡＷ共振器として実現されていてよい。
【００１５】
ＤＳＭフィルタは、入力側変換器および出力側変換器は交番的な順序で配置されている変換器装置を含んでいる少なくとも１つの音響トラックを有している。音響トラックは有利には両側が反射器によって形成されており、これらの間に変換器装置が配置されている。同じ音響トラックの入力側変換器および出力側変換器は相互に音響結合されておりかつ有利には相互に直流的に分離されている。
【００１６】
デュプレクサの受信路は有利にはアンテナ側において唯一の信号線路（single-ended）によって実現されておりかつ出力側において−対称的な信号をガイドするために−２つの信号線路（balanced）によって実現されている。
【００１７】
受信フィルタの入力側は有利には、１端子形（single-ended）に実現されている。共振器に接続されている音響トラックの入力側変換器は有利には相互に並列接続されている。このトラックの出力側変換器は１つの変形形態において受信フィルタの出力側に接続されている。別の変形形態においてこれらは結合変換器として設けられている。これら結合変換器は結合変換器として設けられている、別の音響トラックの入力側変換器に直流的に接続されている。別のトラックの出力側変換器は有利には、受信フィルタの出力側にまたは付加的な音響トラックの結合変換器に接続されている。
【００１８】
受信フィルタの出力側は有利には２つの信号線路によって平衡形に実現されている。その際変形形態においてそれぞれの信号線路にそれぞれ、ＤＭＳフィルタにおいて出口にある音響トラックの少なくとも１つの出力側変換器または相互に並列接続された出力側変換器群が配置されている。
【００１９】
ＤＭＳフィルタまたは受信路において出口にある出力側変換器群を、ＤＭＳトラックの出力インピーダンスがその入力インピーダンスに対して変換されているように実現することができる。出口にある出力側変換器は例えばインピーダンス変換のためにＶ字のスプリットを有しており、ここで縦方向に相互に順次配置されている部分変換器は相互に直列に接続されておりかつ有利には共通のバスバーを有している。
【００２０】
出口にある出力側変換器はインピーダンス変換のための別の変形形態においてにＨ字のスプリットを有しており、ここで横方向に相互に順次配置されている部分変換器は相互に直列に接続されておりかつ有利には共通のバスバーを有している。ここで刊行物ＷＯ９８／５７４２９に記載の内容すべてを取り込むこととする。
【００２１】
有利な実施形態において受信フィルタの出力インピーダンスはその入力インピーダンスとは異なっていて構わない。変形形態において２つの部分フィルタは相互に異なっているインピーダンスを有していることができる。第２の部分フィルタの出力インピーダンスはその入力インピーダンスと異なっていてよい。しかし必要なインピーダンス変換が第１の部分フィルタで実現されるようにしてもよく、その場合には第２の部分フィルタの入力インピーダンスはその出力インピーダンスと等しい。
【００２２】
インピーダンス変換は１つのフィルタまたは部分フィルタにおいて例えば、１つの変換器をカスケード接続された、すなわち前後に接続された、上下にまたは隣接配置された部分変換器に分割することによって実現可能である。フィルタにおけるインピーダンス変換は更に、音響トラックにおいて縦方向に相並んで配置されている、同じ信号路に相互に並列に接続されている変換器を設けることによって実現されるようにしてもよい。
【００２３】
第１の部分フィルタの、アンテナ側に配置されている共振器の少なくとも１つを縦続接続されている変換器によって実現すると有利である。カスケード接続の目的は音響トラック当たりの電力密度の低減であり、そうすれば結果的に電磁適合性が高められることになる。その際カスケード接続された変換器装置のインピーダンスは有利にはカスケード接続されていない変換器のインピーダンスに等しい。
【００２４】
デュプレクサのアンテナ接続端子と受信フィルタとの間に、有利には送信周波数においてλ／４線路として実現されている移相器が配置されていてよい。これにより受信フィルタの入力側における無負荷が形成されかつこうして送信モードにおいてこの入力側がガードされる。
【００２５】
送信フィルタは変形形態において弾性表面波によって動作する少なくとも１つの共振器を有している。別の変形形態において送信フィルタは体積音響波によって動作する少なくとも１つの共振器を有している。有利には送信フィルタのすべての共振器はＳＡＷ共振器またはＢＡＷ共振器（ＳＡＷ＝Surface Acoustic Wave，ＢＡＷ＝Bulk Acoustic Wave）を用いたテクノロジーにおいて実現されている。
【００２６】
構成素子、すなわち殊に送信フィルタおよび受信フィルタの共振器は有利には１つの共通な圧電基板に実現されている。ストラクチャ化された導体路として実現されている構成素子を有するこの基板はチップを形成する。チップは例えばバンプまたはボンディングワイヤを用いてベースプレートの接続面に接続されていてよい。チップはベースプレートと例えばバンプまたは固着を媒介する層を用いて機械的に固定連結されていることができる。ベースプレートはストラクチャ化された金属層と誘電層が交番的に配置されている多層構造を有していることができる。（殊に内部に存在している）金属層において、ストラクチャ化された導体路を通って電気的なエレメント、殊にインダクタンスおよびキャパシタンスが実現されている。種々の金属層に配置されている電気的なストラクチャは相互におよびベースプレートの外側コンタクトにスルーホールを用いて接続されている。
【００２７】
以下に、実施例および添付図面を参照しながらデュプレクサを実施例に則して詳しく説明する。図面には種々の実施例が示されているが、それらは概略的に示されたものであり縮尺通りには示されていない。同じ部分あるいは同じ働きをする部分には同一の参照符号が付されている。その際：
図１は２部分の受信フィルタを有するデュプレクサの等価回路を示し、
図２は図１のデュプレクサに使用可能であるＤＭＳトラックを有する受信フィルタを例示し、
図２ＡはＳＡＷ共振器として実現されている、第１の部分フィルタに使用されている共振器を示し、
図２ＢはＢＡＷ共振器として実現されている、第１の部分フィルタに使用されている共振器を示し、
図２Ｃはスタックド共振器として実現されている、２つの縦続接続されている、第１の部分フィルタに使用されている共振器の配置を示し、
図２Ｄは第１の部分フィルタに有利にはアンテナ側に配置されている、カスケード接続されている部分共振器を備えた共振器を示し、
図２ＥはＤＭＳトラックに後置接続されている別の共振器を備えた受信フィルタを示し、図２Ｆは直列分路にマルチポート共振器を備えている受信フィルタの部分を示し、
図２Ｇは並列分路にマルチポート共振器を備えている受信フィルタの部分を示している。
図３は図１のデュプレクサに使用可能である、２つの結合されたＤＭＳトラックを有する受信フィルタを例示し、
図３Ａは複数の相互に並列接続されている入力側変換器を有しているＤＭＳトラックを備えた受信フィルタを示し、
図３Ｂは複数の相互に並列接続されている入力側変換器並びに複数の相互に並列接続されている出力側変換器を有しているＤＭＳトラックを示し、
図４はチップに実現されているデュプレクサを備えている電気素子を示し、ここでチップはベースプレートにフリップチップ技術でマウントされており、
図５はチップに実現されているデュプレクサを備えている電気素子を示し、ここでチップはベースプレートにマウントされておりかつこれとボンディングワイヤを用いて電気的に接続されている。
【００２８】
図１にはアンテナ接続端子４、送信入力側ＴＸ−ＩＮおよび受信出力側ＲＸ−ＯＵＴを備えたデュプレクサが示されており、該デュプレクサは送信フィルタ２および受信フィルタ３を有している。受信フィルタ３は第１の部分フィルタ３１および第２の部分フィルタ３２から成っている。
【００２９】
デュプレクサは送信パスＴＸおよび受信パスＲＸを有している。送信パスＴＸはアンテナ接続端子４と送信入力側ＴＸ−ＩＮの間に配置されている。受信パスＴＸはアンテナ接続端子４と受信出力側ＲＸ−ＯＵＴとの間に配置されている。
【００３０】
アンテナ接続端子４と受信フィルタ３との間にここでは長さλ／４の線路部分として実現されている移相器が配置されている。移相器は有利には信号フェーズを１８０°回転するために用いられかつ線路部分に対して択一的にＬＣエレメントを有していてもよい。移相器に代わって任意の整合回路網を設けてもよい。これは受信フィルタ３の通過域において通過しかつ送信フィルタ２の通過域においてフィルタ３の入力側において通さないもしくは高度にアイソレーションされるようにするものである。
【００３１】
デュプレクサ２乃至５のすべてのエレメントは接続端子ＴＸ−ＩＮ、ＲＸ−ＯＵＴを含めて共通の圧電基板６上に実現されている。
【００３２】
図２には受信フィルタ３の構成が示されている。第１の部分フィルタ３１は２つの直列共振器１１，１３および並列分路においてアース接続されている並列共振器１２を有している。それぞれ少なくとも１つの並列共振器を有する、信号パスの種々の電気的なノードに接続されている複数の並列分路が設けられていてもよい。
【００３３】
第２の部分フィルタ３２は反射器ＲＦ１，ＦＲ２によって形成されているＤＭＳトラックを有しているが、これは１つの入力側変換器３２１および２つの出力側変換器３２２，３２３から成っている。入力側変換器３２１は出力側変換器３２２，３２３間に配置されておりかつこれらと音響的に結合されている。信号パスＲＸは出力側において２つの部分パスもしくは信号線路ＲＸ１，ＲＸ２に分割されている。第１の出力側変換器３２２は受信パスの第１の信号線路ＲＸ１に配置されておりかつ第２の出力側変換器３２３は受信パスの第２の信号線路ＲＸ２に配置されている。
【００３４】
第１の出力側変換器３２２は有利には受信出力側ＲＸ−ＯＵＴに接続されておりかつ第２の出力側変換器３２３は受信出力側ＲＸ−ＯＵＴの第２の接続端子に接続されている。択一的に出力側の受信パスの信号線路ＲＸ１，ＲＸ２においてＤＭＳトラックの出力側変換器３２２もしくは３２３にそれぞれ少なくとも１つの別の、ここには図示されていない共振器が後置接続されているようにもできる。
【００３５】
図２Ａ乃至２Ｃに、第１の部分フィルタにおいて例えば直列共振器および／または並列共振器として使用可能である共振器が例示されている。
【００３６】
図２Ａには表面波によって動作する共振器が示されている。これは反射器ＲＦ１，ＲＦ２によって形成される音響トラック及びそこに配置されている、２つの内向きに噛み合っているくし形電極Ｅ１，Ｅ２を備えたインターディジタル変換器Ｗを有している。この形式のストラクチャは、例えばクオーツ、タンタル酸リチウムまたはニオブ酸リチウムから成る圧電基板上に例えばＡｌから成る金属ストラクチャとして実現されている。
【００３７】
図２Ｂには、例えばＡｌから成る２つの電極と、これら電極の間に配置されている、例えばＡｌＮから成る圧電層ＰＳとを備えている体積音響波により動作する共振器が示されている。
【００３８】
図２Ｃには、２つの電気的なノード９１，９２の間に接続されている２つの共振器が示されている。これら共振器は共通の電気的なノード９３に接続されており、例えば２つの縦続接続されている共振器（左上）または上下に配置されている共振器を有するスタックド共振器の形における異なっている並列分路に配置されているが、共通のアースに接続されている２つの共振器（左下）として実現されていてよい。上下に配置されている、相互に音響的に結合されている共振器は、２つの圧電層の間に配置されている共通の電極Ｅ３を有している。第１の圧電層は電極Ｅ１，Ｅ３間に配置されておりかつ第２の圧電層は電極Ｅ３，Ｅ２間に配置されている。
【００３９】
変形形態において２つの縦続接続されている共振器または異なった並列分路に配置されていて、共通のアースに接続されている２つの共振器を表面波によって動作する音響トラックまたはＶスプリットを有している変換器の部分変換器によって実現することができ、ここで音響トラックは縦方向において隣接配置されていて、音響的におよび電気的に相互に結合されている２つの変換器を有している。
【００４０】
図２Ｄには、横方向に上下に配置されている２つの音響トラックを備えた、ＳＡＷ共振器に使用可能である変換器が示されている。部分変換器１１１ａ，１１１ｂが変換器を形成するためにカスケード接続、すなわち縦続接続されている。部分変換器１１１ａ，１１１ｂは有利には浮遊している共通のバスバーを有している。
【００４１】
ｎ個の部分共振器から成るカスケード接続は共振器のｎ個のカスケードと呼ばれる。ｎ個の部分共振器をカスケード接続する際に、個々の部分共振器の音響面は、そのインピーダンスが一定にとどまるように、係数ｎ２だけ拡大されるべきである。音響面とは、音響トラックが占めている面、すなわち音響トラックのアパーチャ（幅）と長さとの積の謂いである。共振器面を拡大することによって、共振器における電力密度を低減し、ひいては共振器の寿命を高めることができる。
【００４２】
ＤＭＳフィルタ３２の後ろに別の共振器が配置されているようにしてもよい。図２Ｅには、信号パスＲＸ１，ＲＸ２にそれぞれ共振器４１，４２が配置されている変形形態が図示されている。信号パスＲＸ１，ＲＸ２のそれぞれに共振器回路、例えば第１の部分フィルタ３１のような、はしご形構造の共振器回路を配置することも可能である。
【００４３】
２つの共振器４１，４２に代わって、例えば図２Ｆに図示されている、２つの音響的に相互に結合されている変換器を有する２ポート共振器−マルチポート共振器１０１−を利用することができる。その際２ポート共振器１０１の第１変換器は部分パスＲＸ１に配置されていてよく、第２の変換器は部分パスＲＸ２に配置されていてよい。
【００４４】
図２Ｆおよび図２Ｇには、受信フィルタ３の第１の部分フィルタを実現するための可能な変形形態が図示されている。
【００４５】
図２Ｆにおいて受信パスＲＸの信号線路に、２つの音響的に相互結合されている変換器を有するマルチポート共振器１０１および並列分路にそれぞれ、並列共振器１０２，１０３が配置されている。
【００４６】
図２Ｇにおいて受信パスＲＸの信号線路に直列共振器１０４，１０５の直列回路が配置されている。並列分路にマルチポート共振器１０１の音響的に相互結合されている変換器が配置されている。
【００４７】
例えば図２Ｆおよび図２Ｇに図示のマルチポート共振器をＤＭＳトラック３２の後ろに配置することもできる。
【００４８】
図３には２トラックＤＭＳフィルタとして実現されている第２の部分フィルタを有する受信フィルタが図示されている。第１のＤＭＳトラックは図２のように実現されておりかつその出力側変換器３２２，３２３を介して第２のＤＭＳトラックの入力側変換器３２５，３２６に結合されている。つまり縦続接続されている変換器３２２，３２６もしくは３２３，３２５は２つのＤＭＳトラックの電気音響的結合のための結合変換器として用いられる。
【００４９】
第２のＤＭＳトラックの入力側変換器３２５，３２６間に、Ｖ字形スプリットを有しかつ直列接続されている２つの部分変換器に分割されている出力側変換器が配置されている。部分変換器は信号線路ＲＸ１，ＲＸ２にそれぞれ介挿されている。共通のバスバーはここではアースに接続されている。
【００５０】
図３Ａには、第１の部分フィルタ３１が図２ＡのＳＡＷ共振器を有している受信フィルタが例示されている。第２の部分フィルタ３２は複数の（ここでは３つの）並列接続されている入力側変換器３２１，３２１’，３２１"を有するＤＭＳトラックとして図示されている。受信パスの出力側においてそれぞれの信号線路ＲＸ１，ＲＸ２にそれぞれ、出力側変換器３２２，３２３が配置されている。出力側変換器３２２もしくは３２３はそれぞれ、２つの入力側変換器３２１，３２１’もしくは３２１，３２１"間に配置されている。
【００５１】
複数の入力側変換器の並列接続により、同じ音響面を有している１つだけの入力側変換器を有している形態のものに比べて第２の部分フィルタ３２の入力インピーダンスは低減される。
【００５２】
図３Ｂに、それぞれの信号線路ＲＸ１，ＲＸ２の出力側において唯一の変換器に代わって、２つの出力側変換器の並列接続が配置されているという、ＤＭＳフィルタを実現する１変形形態が図示されている。その際出力側変換器３２２および分割された出力側変換器３２３の第１の部分変換器３２３ａが並列接続されている。同じことは出力側変換器３２２’および分割された出力側変換器３２３の第２の部分変換器３２３ｂに対しても当てはまる。
【００５３】
図３Ｂに図示されている変形形態において入力側において２つの入力側変換器３２１，３２１’が並列接続されている。入力側変換器３２１は出力側変換器３２２，３２３間に配置されておりかつ入力側変換器３２１’は出力側変換器３２３，３２２’間に配置されている。
【００５４】
図４には、ベースプレート７を有し、その上にバンプ８１を用いてチップがフリップ・チップ技術でマウントとされており、該チップは圧電基板６を有し、該基板上にフィルタ２，３のストラクチャもしくは構造体が配置されているという、表面実装に適している素子としてのデュプレクサの１実施例が図示されている。
【００５５】
ベースプレート７は誘電層と金属層とが交互に複数個配置されている多層構造を有している。ベースプレート７の２つの金属層の間に、有利にはセラミックから成る誘電体層が形成されている。ベースプレート７の最も下側の金属層には殊に素子のコンタクト形成に適している接続面が設けられている。ベースプレート７の最も上側の金属層にはチップのコンタクト形成のために適している接続面が形成されている。すべての金属層および殊に内側に存在している金属層は、素子構造、例えばデュプレクサ構造およびこれらに電気的に接続されている別の構造を形成するのに適している。
【００５６】
フィルタ２，３のストラクチャの少なくとも一部は、基板６の、ベースプレート７の方の側の面もしくは下表面に配置されている。これらフィルタの別のストラクチャおよび有利には図１に図示の移相器５はベースプレート７の例えば内側に存在している金属層に配置されていることができる。
【００５７】
ベースプレート７に図４に図示のチップの他に、別のチップ、例えばチップキャパシタンス、チップインダクタンス、フィルタまたは半導体チップがマウントされていてよい。
【００５８】
図５には、中にデュプレクサ構造体が形成されているチップが例えば接着によりベースプレートに固定連結されておりかつその接続面にボンディングワイヤを用いて接続されている形式の、デュプレクサを有する素子の変形形態が図示されている。
【００５９】
本発明は、ここに示した各図、所定のエレメントの数または特有の相対配置に制限されていない。基本的に、僅か２つまたは３つよりもっと多くの入力側または出力側変換器が同一のＤＭＳトラックに配置されて並列に接続されていてもよい。各変形形態との関連において説明した、本発明の種々の特徴は別の変形形態に当てはめて適用することができる。
【図面の簡単な説明】
【００６０】
【図１】２部分の受信フィルタを有するデュプレクサの等価回路
【図２】図１のデュプレクサに使用可能であるＤＭＳトラックを有する受信フィルタの略図
【図２Ａ】ＳＡＷ共振器として実現されている、第１の部分フィルタに使用されている共振器の略図
【図２Ｂ】ＢＡＷ共振器として実現されている、第１の部分フィルタに使用されている共振器の略図
【図２Ｃ】スタックド共振器として実現されている、２つの縦続接続されている、第１の部分フィルタに使用されている共振器の配置を示す略図
【図２Ｄ】第１の部分フィルタに有利にはアンテナ側に配置されている、カスケード接続されている部分共振器を備えた共振器の略図
【図２Ｅ】ＤＭＳトラックに後置接続されている別の共振器を備えた受信フィルタの略図
【図２Ｆ】直列分路にマルチポート共振器を備えている受信フィルタの部分略図
【図２Ｇ】並列分路にマルチポート共振器を備えている受信フィルタの部分略図
【図３】図１にデュプレクサに使用可能である、２つの結合されたＤＭＳトラックを有する受信フィルタの実施例の略図
【図３Ａ】複数の相互に並列接続されている入力側変換器を有しているＤＭＳトラックを備えた受信フィルタの略図
【図３Ｂ】複数の相互に並列接続されている入力側変換器並びに複数の相互に並列接続されている出力側変換器を有しているＤＭＳトラックの略図
【図４】チップがベースプレートにフリップチップ技術でマウントされてチップに実現されているデュプレクサを備えている電気素子の略図
【図５】チップがベースプレートにマウントされておりかつこれとボンディングワイヤを用いて電気的に接続されている、チップに実現されているデュプレクサを備えている電気素子の略図
【符号の説明】
【００６１】
１１，１３  直列共振器
１０１  マルチポート共振器
１０２乃至１０５  共振器
１１１ａ、１１１ｂ  部分変換器
１２  並列共振器
２  送信フィルタ
３  受信フィルタ
３１  第１の部分フィルタ
３２  第２の部分フィルタ
３２１，３２１’、３２１"  第１のＤＭＳトラックの入力側変換器
３２２，３２１’、３２３  第１のＤＭＳトラックの出力側変換器
３２３ａ，３２３ｂ  分割された出力側変換器の部分変換器
３２４  第２のＤＭＳトラックの出力側変換器
３２５，３２６  第２のＤＭＳトラックの入力側変換器
４  アンテナ接続端子
４１，４２  共振器
５  移相器
６  圧電基板
７  ベースプレート
８１  バンプ
８２  ボンディングワイヤ
ＲＸ−ＯＵＴ  デュプレクサの受信出力側
ＴＸ−ＩＮ  デュプレクサの送信入力側
Ｗ  変換器
ＲＦ１，ＲＦ２  反射器
ＰＳ  圧電層
Ｅ１，Ｅ２  電極
【図１】
2008533779.tif 000003
【図２】
2008533779.tif 000004
【図２Ａ】
2008533779.tif 000005
【図２Ｂ】
2008533779.tif 000006
【図２Ｃ】
2008533779.tif 000007
【図２Ｄ】
2008533779.tif 000008
【図２Ｅ】
2008533779.tif 000009
【図２Ｆ】
2008533779.tif 000010
【図２Ｇ】
2008533779.tif 000011
【図３】
2008533779.tif 000012
【図３Ａ】
2008533779.tif 000013
【図３Ｂ】
2008533779.tif 000014
【図４】
2008533779.tif 000015
【図５】
2008533779.tif 000016
【国際調査報告】
2008533779.tif 000017
2008533779.tif 000018
2008533779.tif 000019
2008533779.tif 000020
2008533779.tif 000021
2008533779.tif 000022